(57)【要約】【課題】放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止する。【解決手段】選択情報送信装置１は、表示手段の画面のうち視聴者が選択した領域を示す情報と、表示手段に表示されている映像データを識別する情報と、選択が行われた時刻を示す情報とを、ネットワーク５経由でダイジェスト化データ生成装置４に送信する。ダイジェスト化データ生成装置４は、受信した情報を集計し、映像データのうちダイジェスト化する映像区間を示すダイジェスト化データを生成して、ネットワーク５経由でダイジェスト化編集装置３に送信する。ダイジェスト化編集装置３は、ダイジェスト化データに基づき、記憶手段に記憶させた映像データを編集してダイジェストを作成する。【選択図】図８
2007195051.tif 000002
【特許請求の範囲】
【請求項１】
表示手段の画面上の領域を選択するための選択装置と、選択情報送信装置と、ダイジェスト化データ生成装置と、ダイジェスト化編集装置とで構成され、
前記選択情報送信装置は、
前記選択装置によって選択された領域を示す情報と、前記表示手段に表示されている映像データを識別する情報と、前記選択装置によって選択が行われた時刻を示す情報とを取得する取得手段と、
ネットワーク経由で通信を行うための通信手段とを備え、
前記取得手段によって取得した情報を前記通信手段によって前記ダイジェスト化データ生成装置に送信し、
前記ダイジェスト化データ生成装置は、
ネットワーク経由で通信を行うための通信手段と、
前記通信手段によって前記選択情報送信装置から受信した情報を記憶するための記憶手段と、
前記記憶手段に記憶された情報に基づき、前記映像データのうちダイジェスト化する映像区間を示すダイジェスト化データを生成する生成手段と
を備え、前記ダイジェスト化データを前記通信手段によって前記ダイジェスト化編集装置に送信し、
前記ダイジェスト化編集装置は、
前記映像データを受信するための受信手段と、
前記受信手段によって受信された前記映像データを記憶するための記憶手段と、
ネットワーク経由で通信を行うための通信手段と、
前記通信手段によって前記ダイジェスト化データ生成装置から受信した前記ダイジェスト化データに基づき、前記記憶手段に記憶された前記映像データを編集してダイジェストを作成する編集手段と
を備えたことを特徴とするダイジェスト作成システム。
【請求項２】
請求項１に記載のダイジェスト作成システムにおいて、
前記選択情報送信装置は、制御手段，記憶手段，表示駆動手段，受信手段，判別手段，画像生成手段及び画像合成手段をさらに備え、
前記選択情報送信装置の前記制御手段は、映像データと、該映像データ内の複数のオブジェクトを識別する識別情報と、前記複数のオブジェクトが画面上でそれぞれ位置する領域を示す領域情報とを前記選択情報送信装置の外部から受信した場合、各々の前記オブジェクト毎に前記識別情報と前記領域情報と対応させて前記記憶手段に記憶させるとともに、該映像データを前記表示駆動手段に供給し、
前記選択情報送信装置の前記表示駆動手段は、前記映像データを前記表示手段に表示させるとともに、該表示手段の画面のうち前記記憶手段に前記領域情報が記憶された領域の少なくとも一部の範囲を、該領域に対応する前記識別情報に応じて変調した周期で点滅表示させ、
前記選択装置は、
光を受光して電気信号に変換するための受光手段と、
前記受光手段によって変換された電気信号を所定の通信方式で送信する送信手段と
を含んでおり、
前記選択情報送信装置の前記受信手段は、前記選択装置から送信された前記通信方式の信号を受信し、
前記選択情報送信装置の前記判別手段は、前記受信手段が受信した信号が、前記記憶手段に記憶された前記識別情報と一致する場合、該識別情報に対応する領域を、選択された領域として判別し、
前記選択情報送信装置の前記画像生成手段は、前記判別手段によって判別された領域を前記画面上で特定するための画像データを生成し、
前記選択情報送信装置の前記画像合成手段は、前記表示駆動手段に映像データを供給するとともに、前記画像生成手段によって生成された画像データを該映像データに合成し、
前記選択情報送信装置の前記取得手段は、前記判別手段から、前記選択装置によって選択された領域を示す情報を取得する
ことを特徴とするダイジェスト作成システム。
【請求項３】
請求項２に記載のダイジェスト作成システムにおいて、
前記表示手段は、光源として蛍光管を用いた液晶ディスプレイであり、
前記選択情報送信装置の前記表示駆動手段は、前記液晶ディスプレイの液晶セルにおける透過と遮蔽の切替えによって前記点滅表示を行わせる
ことを特徴とするダイジェスト作成システム。
【請求項４】
請求項２に記載のダイジェスト作成システムにおいて、
前記表示手段は、光源として発光ダイオードを用いた液晶ディスプレイであり、
前記選択情報送信装置の前記表示駆動手段は、前記液晶ディスプレイの液晶セルにおける透過と遮蔽の切替えか、前記発光ダイオードの明滅かの少なくともいずれかによって前記点滅表示を行わせる
ことを特徴とするダイジェスト作成システム。
【請求項５】
請求項２に記載のダイジェスト作成システムにおいて、
前記表示手段は、自発光素子を用いたディスプレイであり、
前記選択情報送信装置の前記表示駆動手段は、前記自発光素子の明滅によって前記点滅表示を行わせる
ことを特徴とするダイジェスト作成システム。
【請求項６】
請求項２に記載のダイジェスト作成システムにおいて、
前記選択情報送信装置の前記表示駆動手段は、人間の視覚特性上点滅として感じられない周期で前記点滅表示を行わせる
ことを特徴とするダイジェスト作成システム。
【請求項７】
請求項２に記載のダイジェスト作成システムにおいて、
前記選択情報送信装置の前記表示駆動手段は、前記点滅表示を行う領域における、所定の階調レベルに対応する輝度の一定期間内の積分値と、前記点滅表示を行わない領域における、前記所定の階調レベルに対応する輝度の前記一定期間内の積分値とが略等しくなるように、各々の領域の輝度の関係を設定する
ことを特徴とするダイジェスト作成システム。
【請求項８】
請求項２に記載のダイジェスト作成システムにおいて、
前記選択情報送信装置の前記表示駆動手段は、動画ボケの改善のための点灯期間及び消灯期間のうちの点灯期間に、該点灯期間よりも短い周期で前記点滅表示を行わせ、該周期を前記識別情報によって変調させる
ことを特徴とするダイジェスト作成システム。
【請求項９】
請求項２に記載のダイジェスト作成システムにおいて、
前記選択情報送信装置の前記表示駆動手段は、動画ボケの改善のための点灯期間及び消灯期間の繰り返し周期を、前記識別情報によって複数のフレームにまたがるように変調させる
ことを特徴とするダイジェスト作成システム。
【請求項１０】
請求項１に記載のダイジェスト作成システムにおいて、
複数の視聴者宅に、前記選択装置，前記選択情報送信装置及び前記ダイジェスト化編集装置をそれぞれ設け、
前記ダイジェスト化データ生成装置の前記生成手段は、前記複数の視聴者宅の前記選択情報送信装置から受信した情報に基づいて前記ダイジェスト化データを生成する
ことを特徴とするダイジェスト作成システム。
【請求項１１】
請求項１に記載のダイジェスト作成システムにおいて、
前記ダイジェスト化データ生成装置は、
前記選択情報送信装置から受信した情報を用いて、前記映像データ内で視聴者によって注目されているオブジェクトを確認する操作と、前記リストに組み込む映像区間を指定する操作とを行うための操作手段
をさらに備え、
前記ダイジェスト化データ生成装置の前記生成手段は、
前記選択情報送信装置から受信した情報のうち、前記表示手段に表示されている映像データを識別する情報と、前記選択装置によって選択が行われた時刻を示す情報とに基づき、前記映像データのうち選択率の高い映像区間を求め、該選択率の高い映像区間及び前記操作手段で指定された映像区間を示すリストを、前記ダイジェスト化データとして生成する
ことを特徴とするダイジェスト作成システム。
【請求項１２】
請求項１に記載のダイジェスト作成システムにおいて、
前記ダイジェスト化編集装置は、
ダイジェストの時間長を指定するための操作手段
をさらに備え、
前記編集手段は、前記ダイジェスト化データに基づき、前記記憶手段に記憶された前記映像データを、前記操作手段によって指定された時間長に収まるように編集してダイジェストを作成する
ことを特徴とするダイジェスト作成システム。
【請求項１３】
請求項１に記載のダイジェスト作成システムにおいて、
前記ダイジェスト化編集装置の前記編集手段は、前記記憶手段に記憶された前記映像データから、前記ダイジェスト化データが示す映像区間のみのダイジェストを作成し、該ダイジェストを前記記憶手段に記憶させるとともに、前記記憶手段に記憶された前記映像データを前記記憶手段から消去する
ことを特徴とするダイジェスト作成システム。
【請求項１４】
表示手段の画面上の領域を選択するための選択装置と、
選択情報送信装置と、
前記選択情報送信装置にネットワークで接続されたダイジェスト化データ生成装置と、
前記ダイジェスト化データ生成装置にネットワークで接続されたダイジェスト化編集装置と
によって映像データのダイジェストを作成する方法において、
前記選択情報送信装置が、前記選択装置によって選択された領域を示す情報と、前記表示手段に表示されている映像データを識別する情報と、前記選択装置によって選択が行われた時刻を示す情報とを取得する第１のステップと、
前記選択情報送信装置が、前記第１のステップで取得した情報を前記ネットワーク経由で前記ダイジェスト化データ生成装置に送信する第２のステップと、
前記ダイジェスト化データ生成装置が、前記選択情報送信装置から情報を受信する第３のステップと、
前記ダイジェスト化データ生成装置が、前記第３のステップで受信した情報を記憶手段に記憶させる第４のステップと、
前記ダイジェスト化データ生成装置が、前記第４のステップで前記記憶手段に記憶させた情報に基づき、前記映像データのうちダイジェスト化する映像区間を示すダイジェスト化データを生成する第５のステップと、
前記ダイジェスト化データ生成装置が、前記第５のステップで生成した前記ダイジェスト化データを、前記ネットワーク経由で前記ダイジェスト化編集装置に送信する第６のステップと、
前記ダイジェスト化編集装置が、前記映像データを受信する第７のステップと、
前記ダイジェスト化編集装置が、前記第７のステップで受信した前記映像データを記憶手段に記憶させる第８のステップと、
前記ダイジェスト化編集装置が、前記ダイジェスト化データ生成装置から前記ダイジェスト化データを受信する第９のステップと、
前記ダイジェスト化編集装置が、前記第９のステップで受信した前記ダイジェスト化データに基づき、前記第８のステップで前記記憶手段に記憶させた前記映像データを編集してダイジェストを作成する第１０のステップと
を有することを特徴とするダイジェスト作成方法。
【請求項１５】
表示手段の画面上の選択された領域を示す情報と、該表示手段に表示されている映像データを識別する情報と、前記領域の選択が行われた時刻を示す情報とを取得する取得手段と、
ネットワーク経由で通信を行うための通信手段と
を備え、前記取得手段によって取得した情報を前記通信手段によって送信する
ことを特徴とする選択情報送信装置。
【請求項１６】
請求項１５に記載の選択情報送信装置において、
制御手段，記憶手段，表示駆動手段，受信手段，判別手段，画像生成手段及び画像合成手段をさらに備え、
前記制御手段は、映像データと、該映像データ内の複数のオブジェクトを識別する識別情報と、前記複数のオブジェクトが画面上でそれぞれ位置する領域を示す領域情報とを前記選択情報送信装置の外部から受信した場合、各々の前記オブジェクト毎に前記識別情報と前記領域情報と対応させて前記記憶手段に記憶させるとともに、該映像データを前記表示駆動手段に供給し、
前記表示駆動手段は、前記映像データを前記表示手段に表示させるとともに、該表示手段の画面のうち前記記憶手段に前記領域情報が記憶された領域の少なくとも一部の範囲を、該領域に対応する前記識別情報に応じて変調した周期で点滅表示させ、
前記受信手段は、所定の通信方式の信号を受信し、
前記判別手段は、前記受信手段が受信した信号が、前記記憶手段に記憶された前記識別情報と一致する場合、該識別情報に対応する領域を、選択された領域として判別し、
前記画像生成手段は、前記判別手段によって判別された領域を前記画面上で特定するための画像データを生成し、
前記画像合成手段は、前記表示駆動手段に映像データを供給するとともに、前記画像生成手段によって生成された画像データを該映像データに合成し、
前記取得手段は、前記判別手段から、前記選択された領域を示す情報を取得する
ことを特徴とする選択情報送信装置。
【請求項１７】
請求項１６に記載の選択情報送信装置において、
前記表示手段は、光源として蛍光管を用いた液晶ディスプレイであり、
前記選択情報送信装置の前記表示駆動手段は、前記液晶ディスプレイの液晶セルにおける透過と遮蔽の切替えによって前記点滅表示を行わせる
ことを特徴とする選択情報送信装置。
【請求項１８】
請求項１６に記載の選択情報送信装置において、
前記表示手段は、光源として発光ダイオードを用いた液晶ディスプレイであり、
前記選択情報送信装置の前記表示駆動手段は、前記液晶ディスプレイの液晶セルにおける透過と遮蔽の切替えか、前記発光ダイオードの明滅かの少なくともいずれかによって前記点滅表示を行わせる
ことを特徴とする選択情報送信装置。
【請求項１９】
請求項１６に記載の選択情報送信装置において、
前記表示手段は、自発光素子を用いたディスプレイであり、
前記選択情報送信装置の前記表示駆動手段は、前記自発光素子の明滅によって前記点滅表示を行わせる
ことを特徴とする選択情報送信装置。
【請求項２０】
請求項１６に記載の選択情報送信装置において、
前記選択情報送信装置の前記表示駆動手段は、人間の視覚特性上点滅として感じられない周期で前記点滅表示を行わせる
ことを特徴とする選択情報送信装置。
【請求項２１】
請求項１６に記載の選択情報送信装置において、
前記選択情報送信装置の前記表示駆動手段は、前記点滅表示を行う領域における、所定の階調レベルに対応する輝度の一定期間内の積分値と、前記点滅表示を行わない領域における、前記所定の階調レベルに対応する輝度の前記一定期間内の積分値とが略等しくなるように、各々の領域の輝度の関係を設定する
ことを特徴とする選択情報送信装置。
【請求項２２】
請求項１６に記載の選択情報送信装置において、
前記選択情報送信装置の前記表示駆動手段は、動画ボケの改善のための点灯期間及び消灯期間のうちの点灯期間に、該点灯期間よりも短い周期で前記点滅表示を行わせ、該周期を前記識別情報によって変調させる
ことを特徴とする選択情報送信装置。
【請求項２３】
請求項１６に記載の選択情報送信装置において、
前記選択情報送信装置の前記表示駆動手段は、動画ボケの改善のための点灯期間及び消灯期間の繰り返し周期を、前記識別情報によって複数のフレームにまたがるように変調させる
ことを特徴とする選択情報送信装置。
【請求項２４】
表示手段の画面上の選択された領域を示す情報と、該表示手段に表示されている映像データを識別する情報と、前記領域の選択が行われた時刻を示す情報とを取得する第１のステップと、
前記第１のステップで取得した情報をネットワーク経由で送信する第２のステップと
を有することを特徴とする選択情報送信方法。
【請求項２５】
コンピュータに、
表示手段の画面上の選択された領域を示す情報と、該表示手段に表示されている映像データを識別する情報と、前記領域の選択が行われた時刻を示す情報とを取得する第１の手順と、
前記第１の手順で取得した情報をネットワーク経由で送信させる第２の手順と
を実行させることを特徴とするプログラム。
【請求項２６】
ネットワーク経由で通信を行うための通信手段と、
前記通信手段によって受信した、表示手段の画面上の選択された領域を示す情報と、該表示手段に表示されている映像データを識別する情報と、前記領域の選択が行われた時刻を示す情報とを情報を記憶するための記憶手段と、
前記記憶手段に記憶された情報に基づき、前記映像データのうちダイジェスト化する映像区間を示すダイジェスト化データを生成する生成手段と
を備え、前記ダイジェスト化データを前記通信手段によって送信する
ことを特徴とするダイジェスト化データ生成装置。
【請求項２７】
表示手段の画面上の選択された領域を示す情報と、前記表示手段に表示されている映像データを識別する情報と、前記領域の選択が行われた時刻を示す情報とをネットワーク経由で受信する第１のステップと、
前記第１のステップで受信した情報を記憶手段に記憶させる第２のステップと、
前記第２のステップで前記記憶手段に記憶させた情報に基づき、前記映像データのうちダイジェスト化する映像区間を示すダイジェスト化データを生成する第３のステップと、
前記第３のステップで生成した前記ダイジェスト化データを、前記ネットワーク経由で送信する第４のステップと
を有することを特徴とするダイジェスト化データ生成方法。
【請求項２８】
映像データを受信するための受信手段と、
前記受信手段によって受信された前記映像データを記憶するための記憶手段と、
ネットワーク経由で通信を行うための通信手段と、
前記通信手段によって、前記映像データのうちダイジェスト化する映像区間を示すダイジェスト化データを受信したことに基づき、前記記憶手段に記憶された前記映像データを編集してダイジェストを作成する編集手段と
を備えたことを特徴とするダイジェスト化編集装置。
【請求項２９】
映像データを受信する第１のステップと、
前記第１のステップで受信した前記映像データを記憶手段に記憶させる第２のステップと、
前記映像データのうちダイジェスト化する映像区間を示すダイジェスト化データをネットワーク経由で受信する第３のステップと、
前記第３のステップで受信した前記ダイジェスト化データに基づき、前記第２のステップで前記記憶手段に記憶させた前記映像データを編集してダイジェストを作成する第４のステップと
を有することを特徴とするダイジェスト化編集方法。
【発明の詳細な説明】
【技術分野】
【０００１】
本発明は、放送番組のような映像コンテンツのダイジェストを、視聴者の実際の視聴動向を踏まえた上で自動的に作成できるようにしたシステム，方法，装置及びプログラムに関する。
【背景技術】
【０００２】
テレビ放送における野球等の試合や映画などでは特に放送が長時間に及ぶ番組があり、視聴者も番組視聴以外の生活へ時間を割かなければならず、長時間の番組をすべて視聴するのではなく、ポイントのみに編集したダイジェスト番組を視聴したいというニーズがある。これは野球等の試合後、放送局がダイジェスト版を作成し、ニュースなどでダイジェスト番組を放送していることが多いことからも分かる。
【０００３】
従来、放送局では、長時間の番組の中でポイントとなりそうな部分のみを人手により選び、放送時間枠に収まるように編集することによってこのダイジェストを作成するのが一般的であった。
【０００４】
しかしながら、このようにダイジェストを人手により作成する場合、そもそもダイジェストにする必要がある番組は比較的長時間に及ぶので、そこからポイントとなる部分を選択する作業は同様に長時間を必要とするため、多大な時間と労力を必要とする。これは放送局にとって負担になる他、視聴者にとっても、生放送が終わってしばらくしないとダイジェストを提供されないため、放送中の追いかけダイジェスト視聴や放送直後のダイジェスト視聴ができないという制約が加えられる。
【０００５】
また、ダイジェスト番組はニュースの一部などとして提供される場合があるため、視聴者はダイジェストの放送時間を明確に特定することができずに見逃してしまう可能性もある。更にこのようにして作成したダイジェストは、放送局の担当者が選んだポイントから構成されるダイジェストであって、視聴者の興味を反映したポイントからなるものとは限らない。
【０００６】
このため、放送局は労力をかけてダイジェストを作成せざるを得ず、その上、ダイジェストが視聴者の心を捉える構成になるとは限らない。また視聴者としても、ダイジェストの視聴が放送時間に左右されるだけでなく、視聴できたとしても希望のダイジェストになっているとは限らない。そのため、視聴者は、ダイジェストを見逃したり、長い番組を録画して早回しで強引に視聴したりして、視聴のために負担がかかっている。
【０００７】
一方で、文献上は、各視聴者の放送受信端末からチャンネル情報及び視聴時刻の情報を受信し、この情報に基づいて時間毎の視聴率を算出し、この視聴率が所定の閾値を超えた時間区間の映像を抽出することによって自動的にダイジェストを作成するようにしたダイジェスト作成装置も従来から提案されている（特許文献１）。
【０００８】
【特許文献１】特開２００４−２００７３３号公報（段落番号００３７〜００５５、図２〜６）
【発明の開示】
【発明が解決しようとする課題】
【０００９】
しかし、上記特許文献１に記載のダイジェスト作成装置を例えば放送局に設けたとした場合には、作成したダイジェストが放送局から番組またはその一部として提供されるので、視聴者としては、やはりダイジェストの視聴が放送時間に左右されてしまうことになる。
【００１０】
他方、このダイジェスト作成装置を例えば各視聴者宅に設けたとした場合には、視聴者宅内の装置で番組の時間毎の視聴率が算出されることになるので、こうした視聴率を示す詳細な情報（放送局にとってはあまり公にしたくない情報）が一般に流布される可能性が生じる。
【００１１】
また、放送局でダイジェストを作成する際には、基本的にはダイジェスト化する映像区間を自動的に決定しつつも、人手により、視聴者が映像内のどのオブジェクト（人物や製品や施設等）に注目しているのかを把握して、そのオブジェクトに適した内容の映像（例えばＣＭ）をダイジェストの一部として挿入したい場合もある。しかし、上記特許文献１に記載の技術では、ダイジェスト作成装置には、視聴者がどのオブジェクトに注目しているのかを示す情報は供給されない。
【００１２】
本発明は、上述の点に鑑み、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能にすることを課題とする。
【課題を解決するための手段】
【００１３】
上記課題を解決するために、本発明に係るダイジェスト作成システムは、表示手段の画面上の領域を選択するための選択装置と、選択情報送信装置と、ダイジェスト化データ生成装置と、ダイジェスト化編集装置とで構成され、この選択情報送信装置は、この選択装置によって選択された領域を示す情報と、この表示手段に表示されている映像データを識別する情報と、この選択装置によって選択が行われた時刻を示す情報とを取得する取得手段と、ネットワーク経由で通信を行うための通信手段とを備え、この取得手段によって取得した情報をこの通信手段によってこのダイジェスト化データ生成装置に送信し、このダイジェスト化データ生成装置は、ネットワーク経由で通信を行うための通信手段と、この通信手段によってこの選択情報送信装置から受信した情報を記憶するための記憶手段と、この記憶手段に記憶された情報に基づき、この映像データのうちダイジェスト化する映像区間を示すダイジェスト化データを生成する生成手段とを備え、このダイジェスト化データをこの通信手段によってこのダイジェスト化編集装置に送信し、このダイジェスト化編集装置は、この映像データを受信するための受信手段と、この受信手段によって受信されたこの映像データを記憶するための記憶手段と、ネットワーク経由で通信を行うための通信手段と、この通信手段によってこのダイジェスト化データ生成装置から受信したこのダイジェスト化データに基づき、この記憶手段に記憶されたこの映像データを編集してダイジェストを作成する編集手段とを備えたことを特徴とする。
【００１４】
このダイジェスト作成システムは、表示手段の画面上の領域を選択するための選択装置と、選択情報送信装置と、ダイジェスト化データ生成装置と、ダイジェスト化編集装置とで構成される。
【００１５】
選択情報送信装置では、次の（１）〜（２）のような処理が行われる。
（１）表示手段の画面のうち視聴者が選択した領域を示す情報と、表示手段に表示されている映像データを識別する情報と、選択装置によって選択が行われた時刻を示す情報とを取得する。
（２）取得したこれらの情報を、ネットワーク経由でダイジェスト化データ生成装置に送信する。
【００１６】
この選択情報送信装置の処理に応じて、ダイジェスト化データ生成装置では、次の（１）〜（３）のような処理が行われる。
（１）選択情報送信装置から受信した情報を記憶手段に記憶させる。
（２）記憶手段に記憶させた情報に基づき、表示手段に表示された映像データのうちダイジェスト化する映像区間を示すダイジェスト化データを生成する。
（３）生成したダイジェスト化データを、ネットワーク経由でダイジェスト化編集装置に送信する。
【００１７】
ダイジェスト化編集装置では、次の（１）〜（２）のような処理が行われる。
（１）表示手段に表示されている映像データと同じ映像データを受信して、その映像データを記憶手段に記憶させる。
（２）ダイジェスト化データ生成装置から受信したダイジェスト化データに基づき、記憶手段に記憶させた映像データを編集してダイジェストを作成する。
これにより、表示手段に表示された映像データのダイジェストが作成される。
【００１８】
このシステムによれば、表示手段に表示されている映像データを識別する情報や、視聴者が選択装置によって選択を行った時刻を示す情報に基づいて、選択率の高い映像区間からなるダイジェストを自動的に作成することができるので、放送局のような映像の提供側が、視聴者の興味を反映したダイジェストを時間や労力をかけずに作成することができる。
【００１９】
また、ダイジェスト化データ生成装置とダイジェスト化編集装置とはネットワークで接続されるので、ダイジェスト化データ生成装置のほうを放送局のような映像の提供側に設け、ダイジェスト化編集装置のほうは視聴者宅に設けることが可能である。このように視聴者宅に設けた装置でダイジェストを作成することにより、視聴者が、任意の時間にダイジェストを視聴することができる。そして、ダイジェスト化データ生成装置からダイジェスト化編集装置へは、ダイジェスト化データ（映像区間を示すデータ）のみが送信され、詳細な視聴率を算出できるような情報は送信されない。したがって、視聴率を示す詳細な情報が一般に流布される可能性はない。
【００２０】
さらに、選択情報送信装置からは、表示手段の画面のうち視聴者が選択した領域を示す情報も、ダイジェスト化データ生成装置に送られる。ダイジェスト化データ生成装置では、基本的にはダイジェスト化する映像区間を自動的に決定しつつも、人手により、この領域を示す情報を用いて、視聴者が映像内のどのオブジェクトに注目しているのかを確認し、そのオブジェクトに適した内容の映像区間をダイジェスト化データに追加することも可能となる。これにより、視聴者が注目しているオブジェクトに適した内容の映像をダイジェストの一部として挿入することが可能となる。
【００２１】
次に、本発明に係るダイジェスト作成方法は、表示手段の画面上の領域を選択するための選択装置と、選択情報送信装置と、この選択情報送信装置にネットワークで接続されたダイジェスト化データ生成装置と、このダイジェスト化データ生成装置にネットワークで接続されたダイジェスト化編集装置とによって映像データのダイジェストを作成する方法において、この選択情報送信装置が、この選択装置によって選択された領域を示す情報と、この表示手段に表示されている映像データを識別する情報と、この選択装置によって選択が行われた時刻を示す情報とを取得する第１のステップと、この選択情報送信装置が、この第１のステップで取得した情報をこのネットワーク経由でこのダイジェスト化データ生成装置に送信する第２のステップと、このダイジェスト化データ生成装置が、この選択情報送信装置から情報を受信する第３のステップと、このダイジェスト化データ生成装置が、この第３のステップで受信した情報を記憶手段に記憶させる第４のステップと、このダイジェスト化データ生成装置が、この第４のステップで記憶手段に記憶させた情報に基づき、この映像データのうちダイジェスト化する映像区間を示すダイジェスト化データを生成する第５のステップと、このダイジェスト化データ生成装置が、この第５のステップで生成したこのダイジェスト化データを、このネットワーク経由でこのダイジェスト化編集装置に送信する第６のステップと、このダイジェスト化編集装置が、この映像データを受信する第７のステップと、このダイジェスト化編集装置が、この第７のステップで受信したこの映像データを記憶手段に記憶させる第８のステップと、このダイジェスト化編集装置が、このダイジェスト化データ生成装置からこのダイジェスト化データを受信する第９のステップと、このダイジェスト化編集装置が、この第９のステップで受信したこのダイジェスト化データに基づき、この第８のステップでこの記憶手段に記憶させたこの映像データを編集してダイジェストを作成する第１０のステップとを有することを特徴とする。
【００２２】
このダイジェスト作成方法は、前述の本発明に係るダイジェスト作成システムによる一連の処理手順に該当するものであり、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、映像の提供側が、視聴者が注目しているオブジェクトに適した内容の映像をダイジェストの一部として挿入することも可能となる。
【００２３】
次に、本発明に係る選択情報送信装置は、表示手段の画面上の選択された領域を示す情報と、この表示手段に表示されている映像データを識別する情報と、この領域の選択が行われた時刻を示す情報とを取得する取得手段と、ネットワーク経由で通信を行うための通信手段とを備え、この取得手段によって取得した情報をこの通信手段によって送信することを特徴とする。
【００２４】
この選択情報送信装置は、前述の本発明に係るダイジェスト作成システムを構成する選択情報送信装置であり、このダイジェスト作成システム内の他の装置と協働させることにより、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能となる。
【００２５】
次に、本発明に係る選択情報送信方法は、表示手段の画面上の選択された領域を示す情報と、この表示手段に表示されている映像データを識別する情報と、この領域の選択が行われた時刻を示す情報とを取得する第１のステップと、この第１のステップで取得した情報をこのネットワーク経由で送信する第２のステップとを有することを特徴とする。
【００２６】
この選択情報送信方法は、前述の本発明に係る選択情報送信装置による一連の処理手順に該当するものであり、本発明に係るダイジェスト作成システムを構成する他の装置による処理と相俟って、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能となる。
【００２７】
次に、本発明に係るプログラムは、コンピュータに、表示手段の画面上の選択された領域を示す情報と、この表示手段に表示されている映像データを識別する情報と、この領域の選択が行われた時刻を示す情報とを取得する第１の手順と、この第１の手順で取得した情報をネットワーク経由で送信させる第２の手順とを実行させることを特徴とする。
【００２８】
このプログラムは、前述の本発明に係る選択情報送信装置の一連の処理手順を、選択情報送信装置内に設けたコンピュータの制御のもとで実行させるためのプログラムに該当するものであり、本発明に係るダイジェスト作成システムを構成する他の装置による処理と相俟って、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能となる。
【００２９】
次に、本発明に係るダイジェスト化データ生成装置は、ネットワーク経由で通信を行うための通信手段と、この通信手段によって受信した、表示手段の画面上の選択された領域を示す情報と、この表示手段に表示されている映像データを識別する情報と、この領域の選択が行われた時刻を示す情報とを情報を記憶するための記憶手段と、この記憶手段に記憶された情報に基づき、この映像データのうちダイジェスト化する映像区間を示すダイジェスト化データを生成する生成手段とを備え、このダイジェスト化データをこの通信手段によって送信することを特徴とする。
【００３０】
このダイジェスト化データ生成装置は、前述の本発明に係るダイジェスト作成システムを構成するダイジェスト化データ生成装置であり、このダイジェスト作成システム内の他の装置と協働させることにより、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能となる。
【００３１】
次に、本発明に係るダイジェスト化データ生成方法は、表示手段の画面上の選択された領域を示す情報と、この表示手段に表示されている映像データを識別する情報と、この選択装置によって選択が行われた時刻を示す情報とをネットワーク経由で受信する第１のステップと、この第１のステップで受信した情報を記憶手段に記憶させる第２のステップと、この第２のステップでこの記憶手段に記憶させた情報に基づき、この映像データのうちダイジェスト化する映像区間を示すダイジェスト化データを生成する第３のステップと、この第３のステップで生成したこのダイジェスト化データを、このネットワーク経由で送信する第４のステップとを有することを特徴とする。
【００３２】
このダイジェスト化データ生成方法は、前述の本発明に係るダイジェスト化データ生成装置による一連の処理手順に該当するものであり、本発明に係るダイジェスト作成システムを構成する他の装置による処理と相俟って、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能となる。
【００３３】
次に、本発明に係るダイジェスト化編集装置は、映像データを受信するための受信手段と、この受信手段によって受信されたこの映像データを記憶するための記憶手段と、ネットワーク経由で通信を行うための通信手段と、この通信手段によって、この映像データのうちダイジェスト化する映像区間を示すダイジェスト化データを受信したことに基づき、この記憶手段に記憶されたこの映像データを編集してダイジェストを作成する編集手段とを備えたことを特徴とする。
【００３４】
このダイジェスト化編集装置は、前述の本発明に係るダイジェスト作成システムを構成するダイジェスト化編集装置であり、このダイジェスト作成システム内の他の装置と協働させることにより、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能となる。
【００３５】
次に、本発明に係るダイジェスト化編集方法は、映像データを受信する第１のステップと、この第１のステップで受信したこの映像データを記憶手段に記憶させる第２のステップと、この映像データのうちダイジェスト化する映像区間を示すダイジェスト化データをネットワーク経由で受信する第３のステップと、この第３のステップで受信したこのダイジェスト化データに基づき、この第２のステップでこの記憶手段に記憶させたこの映像データを編集してダイジェストを作成する第４のステップとを有することを特徴とする。
【００３６】
このダイジェスト化編集方法は、前述の本発明に係るダイジェスト化編集装置による一連の処理手順に該当するものであり、本発明に係るダイジェスト作成システムを構成する他の装置による処理と相俟って、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能となる。
【発明の効果】
【００３７】
本発明によれば、放送局のような映像の提供側が、視聴者の興味を反映したダイジェストを時間や労力をかけずに作成し、視聴者が、そのダイジェストを任意の時間に視聴でき、なおかつ、視聴率を示す詳細な情報が一般に流布されることを防止するとともに、視聴者が注目しているオブジェクトに適した内容の映像をダイジェストの一部として挿入することも可能になるという効果が得られる。
【発明を実施するための最良の形態】
【００３８】
以下、本発明の実施の形態を図面を用いて説明する。
〔ダイジェストの作成方法〕
最初に、本発明によってダイジェストを作成する方法の具体例を説明する。概略としては、選択情報送信装置が、映像データが表示されているディスプレイ（表示手段）の画面のうち、その映像データ内の或るオブジェクト（人物や製品や施設等）の領域を人間に感じない周期で点滅表示させることにより、そのオブジェクトの領域自体からそのオブジェクトの識別情報を光信号として出力させる。視聴者が、選択装置を用いて画面上のオブジェクトを選択すると、選択装置が、そのオブジェクトの識別情報を受信して送信装置に返送する。選択情報送信装置は、返送された識別情報から、選択されたオブジェクトを判別し、そのオブジェクトを画面上で特定する画像データをディスプレイに表示させる。
【００３９】
また、選択情報送信装置は、そのオブジェクトの領域を示す情報と、表示手段に表示されている映像データを識別する情報と、選択装置によって選択が行われた時刻を示す情報とを取得して、これらの情報をネットワーク経由でダイジェスト化データ生成装置に送信する。
【００４０】
ダイジェスト化データ生成装置は、選択情報送信装置から受信したこれらの情報に基づき、表示手段に表示された映像データのうちダイジェスト化する映像区間を示すダイジェスト化データを生成して、そのダイジェスト化データをネットワーク経由でダイジェスト化編集装置に送信する。
【００４１】
ダイジェスト化編集装置は、表示手段に表示されている映像データと同じ映像データを受信して、その映像データを記憶手段に記憶させる。そして、ダイジェスト化データ生成装置から受信したダイジェスト化データに基づき、記憶手段に記憶させた映像データを編集してダイジェストを作成する。
【００４２】
ディスプレイの画面におけるオブジェクトの点滅表示の範囲は、例えば図１に示すように、画面１０１に表示されるオブジェクト（自動車）１０２（図１Ａ）に対して、そのオブジェクト１０２の領域１０３全体（図１Ｂの太線の枠内の部分）であってもよいし、非自発光型のディスプレイの場合にその領域１０３に光を照射する光源単位の領域１０４（図１Ｃの太線の枠内の部分）であってもよいし、その領域１０３を構成する画素単位（１または複数の画素）の領域１０５（図１Ｄの太線の枠内の部分）であってもよい。
【００４３】
点滅表示させる方法に関しては、図３２に示すＬＣＤ（液晶ディスプレイ）１１０のように、光源として高速点滅が難しい冷陰極蛍光管（ＣＣＦＬ）１１１を用いている場合は、光源からの可視光１１３が照射されて映像光１１４を得る液晶パネル１１５における液晶セルの透過と遮蔽の切替えによって高速な点滅表示が可能である。
【００４４】
また、図２Ｂに示すＬＣＤ１１６のように、光源としてＬＥＤ（発光ダイオード）１１７を用いている場合は、ＬＥＤ１１７は非常に高速な明滅が可能であるため、光源からの可視光１１８が照射されて映像光１１９を得る液晶パネル１２０における液晶セルの透過と遮蔽の切替えに代えて、あるいはこの切替えとともに、ＬＥＤ１１７を明滅させることによって高速な点滅表示が可能である。
【００４５】
また、図２Ｃに示すように自発光素子１２１の明滅によって映像光１２２を得るディスプレイ（プラズマディスプレイ，有機ＥＬディスプレイ，無機ＥＬディスプレイ等）では、自発光素子１２１は高速な明滅が可能であるため、自発光素子１２１を明滅させることによって高速な点滅表示が可能である。このようにして、一般的な各種のディスプレイに高速な点滅表示を行わせることができる。
【００４６】
この点滅表示の周期は、受光した光の残像が残るために高速な点滅を点滅として認識し難い人間の視覚特性を利用して、視聴者が点滅として感じないような周期とする。また、人間が感じる明るさは短時間で考えると受光した輝度の積分値にほぼ等しいという視覚特性を利用して、点滅表示させる領域の輝度と、点滅表示させない領域の輝度との関係を、点滅表示を行う領域における所定の階調レベルに対応する輝度の一定期間（例えば１フレーム期間）内の積分値と、点滅表示を行わない領域におけるこの所定の階調レベルに対応する輝度のこの一定期間内の積分値とが略等しくなるように設定する。これにより、人間にとっては光信号を通常の点灯だとしか認識できなくなり、視聴に影響がなくなる。
【００４７】
さらに、オブジェクトを識別する識別情報によって点滅の周期を変調することにより、その識別情報が光信号として出力されるように表示を行なう。６０ｆｐｓ（フレーム／秒）の映像ソースを図３Ａに例として示したが、動画ボケを改善するために、１フレーム期間（１０００／６０ミリ秒）中に1回ずつの点灯期間（Ｔｕａ〜Ｔｄａ）及び消灯期間（Ｔｄａ〜Ｔｕａ’）を設けている。また、図３Ｂに示すように、１フレーム期間を２つのフレームに細分化した１２０ｆｐｓ表示を行うこともあるが、その場合にも、同様にして１フレーム期間中に1回ずつの点灯期間（Ｔｕｂ〜ＴｄｂやＴｕｃ〜Ｔｄｃ）及び消灯期間（Ｔｄｂ〜ＴｕｃやＴｄｃ〜Ｔｕｂ’）を設けている。図３Ｃ〜図３Ｆに示すように、１フレーム期間を３つ以上のフレームに細分化して表示を行う場合も同様である。
【００４８】
そこで、第１の変調方法として、各フレーム期間中の動画ボケ改善のための点灯期間内に、その点灯期間よりも短い周期で点滅表示を行わせ、その周期を識別情報によって変調する（フレーム内変調と呼ぶ）。例えば、図４Ａ及びＢに示すように、６０ｆｐｓ表示（図４Ａ）の場合に、各フレーム期間中の点灯期間（Ｔｕａ〜Ｔｄａ）に、１９２０Ｈｚで点滅表示を行わせる（図４Ｂ）。また、図４Ｃ及びＤに示すように、１２０ｆｐｓ表示（図４Ｃ）の場合に、各フレーム期間中の点灯期間（Ｔｕｂ〜ＴｄｂやＴｕｃ〜Ｔｄｃ）に、１９２０Ｈｚで点滅表示を行わせる（図４Ｄ）。さらに、１２０ｆｐｓ表示の場合について図４Ｅに示すように、点滅周期を１９２０Ｈｚと９６０Ｈｚとの間で切換える。
【００４９】
そして、１９２０Ｈｚの１つの点滅で２進数の“０”を表現し、９６０Ｈｚの１つの点滅で２進数の“１１”を表現すれば、このフレーム内変調により、図４Ｄ，Ｅに“００００００００”，“１１０１１１１０”，“０１１０００１１”として例示するような複数ビットずつのデータを光信号として出力することができる。これにより、オブジェクトの識別情報を光信号として出力することができる。
【００５０】
なお、図４に示す輝度Ｉａと輝度Ｉｂとの関係は、前述のような人間の視覚特性を利用して、１フレーム期間内の輝度Ｉａの積分値と、１フレーム期間内の輝度Ｉｂの積分値とが略等しくなるように設定する。
【００５１】
第２の変調方法として、動画ボケ改善のための点灯期間及び消灯期間の繰り返し周期自体を、識別情報によって複数のフレームにまたがるように変調してもよい（フレームレート変調と呼ぶ）。例えば、図５Ｂ，Ｃに示すように、１２０ｆｐｓ表示（図５Ｂ）の場合に、２つのフレームにまたがって1回の点灯期間（Ｔｕｂ〜Ｔｕｃ）及び消灯期間（Ｔｕｃ〜Ｔｕｂ’）を設ける（この点灯期間及び消灯期間の繰り返し周期は６０ｆｐｓ表示（図５Ａ）における点灯期間及び消灯期間の繰り返し周期と同じになる）。そして、１２０ｆｐｓの２つの点滅で２進数の“０”を表現し、６０ｆｐｓの１つの点滅で２進数の“１”を表現すれば、このフレームレート変調により、図５Ｂ，Ｃに例示するように２フレームあたり１ビットのデータを光信号として出力することができる。
【００５２】
また、図５Ｄ，Ｅに示すように、２４０ｆｐｓ表示（図５Ｄ）の場合に、２つのフレームにまたがって1回の点灯期間及び消灯期間を設ける。そして、２４０ｆｐｓの１つの点滅で２進数の“０”を表現し、１２０ｆｐｓの１つの点滅で２進数の“１１”を表現すれば、フレームレート変調により、図５Ｄ，Ｅに例示するように１フレームあたり１ビットのデータを光信号として出力することができる。変調方法はこれらの例に限らない。
【００５３】
そして、画面に表示するオブジェクト毎に、そのオブジェクトを識別する識別情報と、そのオブジェクトが画面上で位置する領域を示す領域情報とを対応させて記憶手段に記憶し、この記憶手段内の識別情報によって変調した周期で画面上の各オブジェクトの領域を点滅表示させる。
【００５４】
この図４や図５に示した変調方法により、図３に示したような一般的なハイフレームレート表示を行う場合に、識別情報によって変調した周期で点滅表示を行わせることができる。
【００５５】
オブジェクトの識別情報及び領域情報を取得する方法としては、例えば次の（ａ），（ｂ）のような方法が挙げられる。
（ａ）番組連動型のデジタルデータ放送においてその番組の映像内のオブジェクトの識別情報及び領域情報が提供される場合に、受信したデジタル放送信号中のデータパケットからこの識別情報及び領域情報を取得する。
（ｂ）インターネット経由で配信される映像コンテンツにその映像内のオブジェクトの識別情報及び領域情報が付加されている場合に、その識別情報及び領域情報を取得する。
【００５６】
一方、選択装置は、光を受光して電気信号に変換するための受光手段を備える。したがって、画面上で視聴者が選択したいオブジェクトの領域からの光信号（識別情報）を、電気信号に変換することができる。
【００５７】
選択装置は、この受光した信号を選択情報送信装置に送信し、選択情報送信装置は選択装置からの信号を受信する。これにより、視聴者が選択したオブジェクトの識別情報が、選択情報送信装置に返送される。
【００５８】
選択情報送信装置は、この受信した信号と、記憶手段内の識別情報とを比較し、一致する場合には、その識別情報に対応する領域を、視聴者が選択したオブジェクトの領域（以下、選択領域と呼ぶ）として判別する。
【００５９】
さらに、選択情報送信装置は、この選択領域を画面上で特定する画像データを生成し、その画像データを、ディスプレイに表示させる映像データに合成する。これにより、選択装置の形状自体からはどのオブジェクトを選択しているのか分かり難いような場合にも、どのオブジェクトを選択しているのかを視聴者が画面上で視覚的に認識することができる。
【００６０】
加えて、選択情報送信装置は、この選択領域の情報の他に、ディスプレイに表示されている映像データを識別する情報（例えばテレビ放送のチャンネルの情報や、インターネット経由で映像コンテンツを配信するチャンネルの情報）と、選択装置によって選択が行われた時刻を示す情報とを取得する。そして、取得したこれらの情報を、ネットワーク経由でダイジェスト化データ生成装置に送信する。
【００６１】
ダイジェスト化データ生成装置では、これらの情報を受信して記憶手段に記憶させる。これにより、複数の選択情報送信装置とダイジェスト化データ生成装置とをネットワークで接続した場合、各選択情報送信装置が制御しているディスプレイにおける映像データの視聴状況（オブジェクトの選択状況）を、ダイジェスト化データ生成装置で集計することが可能となる。また、選択情報送信装置からダイジェスト化データ生成装置に送信する情報に、視聴者が視聴しているディスプレイの画面のサイズや視聴者の属性（年齢や性別等）を示す情報を付加するようにしてもよい。これにより、似通った趣向を持つ視聴者毎に視聴状況を分類して集計することが可能となり、より的確に視聴者に適合した視聴状況を集計することが可能となる。
【００６２】
さらに、ダイジェスト化データ生成装置は、この集計した視聴状況を利用して、映像データのうちダイジェスト化する映像区間を選択し、その選択した映像区間を示すダイジェスト化データを生成する。
【００６３】
連続した映像データから映像区間を区切る方法としては、例えば、現在実用化されているシーン切り替え位置の自動検出方法（画面構成や音量の変化からシーンの切り替え位置を自動的に検出する方法）を採用して、シーン切り替え位置を映像区間の区切りとする。
【００６４】
このようにシーン切り替え位置を映像区間の区切りとすることには、視聴者が選択装置で選択を行なう時の時間遅れを考慮し、それ以前の映像を含む一連のシーンをダイジェストにすることが可能となるという利点がある。このことを、図６を用いて説明する。図６の例では、各選択情報送信装置から受信した情報の集計結果に基づき、或る映像データについての時間毎のオブジェクトの選択率（全ての選択情報送信装置のうち、現在の時刻にその映像データ内のオブジェクトを選択しているという情報を送信している選択情報送信装置の台数の比率）を計測し、この計測値が時刻ｔ１にダイジェスト選考基準値ｒを越えた場合に、その直前のシーン切り替え位置であるシーンＳ１からシーンＳ２への切り替え位置を区切りとして、シーンＳ２を、ダイジェスト化する映像区間として選択している。これにより、シーンＳ１からシーンＳ２に切り替わった後、視聴者がシーンの切り替わりに気付くのが少し遅れて時刻ｔ１に切り替わり後のシーンＳ２に注目してオブジェクトを選択した場合にも、一連のシーンＳ２をダイジェストにすることが可能となる。なお、図６における想定値は、各シーン毎に、当該シーンのうちオブジェクトの選択率の計測値が最も高い水準になる範囲（シーンＳ１では全体、シーンＳ２では時刻ｔ１以降の範囲）における計測地を平均化することによって求めた、当該シーンについてのオブジェクトの選択率の想定値である。
【００６５】
ダイジェスト化データの生成方法としては、例えば、ダイジェスト化する映像区間として選択した各シーンの時刻情報（映像データの先頭からみて何秒目から何秒目までのシーンかの情報）を、図６に例示したような想定値が高い順に並べたリスト（以下、区間リストと呼ぶ）を作成して、この区間リストをダイジェスト化データとする。図７は、この区間リストを例示する図である。この例では、ダイジェスト選考基準値ｒは２０％未満の値に設定されており、１番目に、１８秒目から２５秒目までの想定値３０％のシーン、２番目に、３分５３秒目から４分５秒目までの想定値２５％のシーン、３番目に、１分２０秒目から１分３１秒目までの想定値２０％のシーン、という順に並べられている。
【００６６】
さらに、人手により、映像区間を並べる順序を指定したり、必ずダイジェストに組み込むべき映像区間を指定したりしてもよい。これにより、視聴者が本当に興味を持つシーンから成るダイジェストにすることが可能なだけでなく、視聴者が興味を持つシーンの間に、例えばＣＭのように視聴者に興味を持たれにくい映像を挿入した（視聴者がそのＣＭを見ざるを得ないようにした）ダイジェストにすることも可能となる。
【００６７】
さらに、人手により、選択情報送信装置から受信した選択領域の情報を用いて、映像データ内で視聴者によって注目されているオブジェクトを確認し、そのオブジェクトに適した内容の映像区間（例えば、オブジェクトの選択率の計測値は低いが、同じオブジェクトが登場している映像区間）をダイジェストに組み込むようにしてもよい。これにより、視聴者が注目しているオブジェクトに適した内容の映像を、ダイジェストの一部として視聴させることが可能となる。
【００６８】
ダイジェスト化データ生成装置は、このようにして生成したダイジェスト化データを、ネットワーク経由でダイジェスト化編集装置に送信する。
【００６９】
ダイジェスト化編集装置は、このダイジェスト化データを受信する。これにより、ダイジェスト化に必要なデータをダイジェスト化編集装置で利用可能となる。
【００７０】
また、ダイジェスト化編集装置は、選択情報送信装置が制御するディスプレイに表示されている映像データと同じ映像データを受信して、その映像データを記憶する。これにより、ダイジェスト化データさえ入手できれば、映像データをダイジェスト化することが可能となる。
【００７１】
そして、ダイジェスト化編集装置は、記憶したダイジェスト化データを利用して、記憶した映像データを編集してダイジェストを作成する。これにより、ダイジェスト化データさえ受信すれば、視聴者が映像データを視聴し終えた直後でも、視聴の途中でも、その時点までの映像データのダイジェストを作成することが可能となる。
【００７２】
ダイジェスト化編集装置では、視聴者がダイジェストの時間長を指定できるようにしてもよい。その場合には、ダイジェスト化データ中のシーンのうち想定率が高いシーンの順に優先的にその時間長に収まるように編集したり（例えば、時間長が１０秒と指定された場合に、図７のダイジェスト化データ中の、１番目のシーン全体と、２番目のシーンの先頭から３秒間分の範囲とから成るダイジェストを作成したり）、あるいは、ダイジェスト化データ中の各シーンから一部ずつの範囲を抽出してその時間長に収まるように編集したり（例えば、時間長が１０秒と指定された場合に、図７のダイジェスト化データ中の、１番目のシーンの先頭から４秒間分と、２番目のシーンの先頭から４秒間分と、３番目のシーンの先頭から２秒間分とから成るダイジェストを作成したり）すればよい。これにより、視聴者が、自分が希望する時間長のダイジェストを視聴することが可能となる。
【００７３】
映像データの編集の方法としては、例えば、元の映像データのうち、ダイジェスト化データ中のシーンの部分のみから成る一連の映像データを、ダイジェストの映像データとして新たに記憶手段に記憶させる（再生時には記憶手段からこのダイジェストの映像データを読み出す）という方法を採用する。これにより、ダイジェストの映像データを、ダイジェスト化編集装置から他の機器に移して視聴する（例えば小型メモリーカードに格納し、携帯型の画像表示装置に移して視聴する）ことが容易になる。
【００７４】
あるいはまた、映像データの編集の方法としては、ダイジェスト化データ中のシーンやその順番を示す情報で構成されるインデックスを作成し、このインデックスに基づいて、元の映像データのうちダイジェスト化するシーンの映像データのみを再生するという方法を採用してもよい。それにより、編集と同時にダイジェストが再生されるので、視聴者が、編集と同時にダイジェストを視聴することが可能となる。
【００７５】
以上に説明したようなダイジェスト作成方法によれば、ディスプレイに表示されている映像データを識別する情報や、視聴者が選択装置によって選択を行った時刻を示す情報に基づいて、選択率の高い映像区間からなるダイジェストを自動的に作成することができるので、放送局のような映像の提供側が、視聴者の興味を反映したダイジェストを時間や労力をかけずに作成することができる。
【００７６】
また、ダイジェスト化データ生成装置とダイジェスト化編集装置とはネットワークで接続されるので、ダイジェスト化データ生成装置のほうを放送局のような映像の提供側に設け、ダイジェスト化編集装置のほうは視聴者宅に設けることが可能である。このように視聴者宅に設けた装置でダイジェストを作成することにより、視聴者が、任意の時間にダイジェストを視聴することができる。そして、ダイジェスト化データ生成装置からダイジェスト化編集装置へは、ダイジェスト化データ（映像区間を示すデータ）のみが送信され、詳細な視聴率を算出できるような情報は送信されない。したがって、視聴率を示す詳細な情報が一般に流布される可能性はない。
【００７７】
さらに、選択情報送信装置からは、ディスプレイの画面のうち視聴者が選択した領域を示す情報も、ダイジェスト化データ生成装置に送られる。ダイジェスト化データ生成装置では、基本的にはダイジェスト化する映像区間を自動的に決定しつつも、人手により、この領域を示す情報を用いて、視聴者が映像内のどのオブジェクトに注目しているのかを確認し、そのオブジェクトに適した内容の映像区間をダイジェスト化データに追加することも可能となる。これにより、視聴者が注目しているオブジェクトに適した内容の映像をダイジェストの一部として挿入することが可能となる。
【００７８】
また、視聴者は、選択装置を用いて、この画面上のオブジェクトの選択を、場所を選ばず、短時間で容易に行うことができる。
【００７９】
〔システム構成例〕
次に、前述のようなダイジェストの作成方法を実現するためのシステムの構成例について説明する。図８は、このシステムの全体構成を例示する図である。各視聴者宅に設けられたテレビ受像機１及びダイジェスト化編集装置３が、インターネット５を介して、テレビ放送局に設けられたダイジェスト化データ生成装置４に接続されている。テレビ受像機１は、デジタル放送を受信するテレビ受像機に、特許請求の範囲における選択情報送信装置を一体化させた装置である。
【００８０】
各視聴者宅には、ポインタ２も設けられている。ポインタ２は、特許請求の範囲における選択装置である。図９は、このポインタ２の外観を例示する図である。ポインタ２は、視聴者が手で持って使用し、テレビ受像機１の画面１ａに表示されるオブジェクトを選択する場合には、ポインタ２の先端２ａをそのオブジェクトに向ける。
【００８１】
テレビ受像機１には、テレビ放送局から送信されたデジタル放送信号が供給される。デジタル放送信号は、周知のように、次の（ａ）〜（ｄ）のようなパケットを、トランスポートストリームに多重化し、スクランブルをかけ、所定の変調方式で変調したものである。
（ａ）テレビ番組の映像・音声のパケット。
（ｂ）データ放送のコンテンツの一部である非蓄積型のデータ（テレビ番組の映像に挿入する文字テロップ等）のパケット。
（ｃ）データ放送のコンテンツの一部である蓄積型のデータ。
（ｄ）同一の周波数帯で伝送する複数チャンネル分のパケットを互いに識別するための伝送制御信号（ＰＳＩ＝Program Specific Information）と、電子番組ガイドを作成するための情報である番組配列情報（ＳＩ＝Service Information ）のパケット。
【００８２】
上記（ｃ）の蓄積型のデータとしては、一般に、テレビ番組の内容に関する各種のデータが用意される。ここでは、テレビ番組の映像内の特定のオブジェクト（人物や製品や施設等）の識別情報である識別ＩＤと、そのオブジェクトが画面に表示されるタイミング（フレーム）を示す情報と、フレーム毎の画面上でのそのオブジェクトの表示領域を示す領域情報とが用意されるものとする。
【００８３】
図１０は、テレビ受像機１のハードウェア構成の主要部を示すブロック図である。テレビ受像機１は、画像表示部１１と、選択領域検知部１２と、選択調査部１３とを含んでいる。画像表示部１１には、チューナ１４と、復調器１５と、デスクランブラ１６と、多重分離器１７と、映像デコーダ１８と、画像合成回路１９と、表示駆動回路２０と、領域−識別ＩＤ対記憶用メモリ２１と、ディスプレイ２２とが設けられている。
【００８４】
選択領域検知部１２には、赤外線受信ユニット２３と、比較回路２４と、画像生成回路２５とが設けられている。また、画像表示部１１内の領域−識別ＩＤ対記憶用メモリ（以下単にメモリとも呼ぶ）２１は、選択領域検知部１２の一部としても用いられる。
【００８５】
選択調査部１３には、タイマ２６と、ネットワーク通信用の通信インタフェース２７とが設けられている。マイクロプロセッサ２８は、テレビ受像機１内の各部を制御し、画像表示部１１，選択領域検知部１２，選択調査部１３のそれぞれの一部として機能する（マイクロプロセッサ２８と各部とを結ぶ接続線は、一部を除いて図示を省略している）。
【００８６】
チューナ１４には、図示しない受信アンテナ等で受信されたデジタル放送信号が供給される。テレビ番組の視聴時には、このデジタル放送信号が、視聴者の選局操作に基づいてチューナ１４で周波数帯を選択された後、復調器１５で復調され、デスクランブラ１６でスクランブルを解かれてトランスポートストリームに戻された後、多重分離器１７で、複数チャンネル分のテレビ番組の映像・音声のパケット（上記（ａ）のパケット）と、非蓄積型データのパケット（上記（ｂ）のパケット）と、蓄積型データのパケット（上記（ｃ）のパケット），及び伝送制御信号・番組配列情報のパケット（上記（ｄ）のパケット）に分離される。
【００８７】
そして、この複数チャンネル分のテレビ番組の映像・音声のパケットのうち、視聴者の選局操作に基づいて抽出した１チャンネル分のパケットの映像，音声が、それぞれ映像デコーダ１８，音声デコーダ（図示略）により復号される。また、蓄積型データ，非蓄積型データ及び伝送制御信号・番組配列情報の各パケットが、マイクロプロセッサ２８に送られる。
【００８８】
映像デコーダ１５からは、１フレーム毎に、当該フレームに表示すべき映像データである表示画面データが画像合成回路１９に供給される。画像合成回路１９は、この表示画面データに、画像生成回路２５で生成された画像データを合成して、表示駆動回路２０に送る。
【００８９】
マイクロプロセッサ２８は、蓄積型データを参照して、前述の識別ＩＤが用意されているいずれかの１または複数のオブジェクトを表示すべきフレームに、そのオブジェクトについての前述の識別ＩＤ及び領域情報をメモリ２１に供給する。
【００９０】
メモリ２１は、１フレーム毎に、マイクロプロセッサ２８から供給される個々のオブジェクトについての識別ＩＤと領域情報とを対応させて記録する（以下、このメモリ２１内の識別ＩＤと領域情報との対を、領域−識別ＩＤ対と呼ぶ）とともに、直前のフレームに記録した領域−識別ＩＤ対を消去する。このようにして、メモリ２１には、常に、現在のフレームで表示される特定のオブジェクトについての領域−識別ＩＤ対が保持される。
【００９１】
表示駆動回路２０は、ディスプレイ２２を駆動するドライバーであるが、画像合成回路１９から供給される表示画面データだけでなく、メモリ２１内のデータを参照してディスプレイ２２を駆動する。
【００９２】
赤外線受信ユニット２３は、テレビ受像機１の前面（画面１ａが存在する面）に入射した赤外線を受信する。比較回路２４は、赤外線受信ユニット２３で受信した信号と、メモリ２１内の識別ＩＤとを比較する回路である。画像生成回路２５は、画面上のオブジェクトを囲む枠、または画面上のオブジェクトを指す矢印等の画像データを生成する回路である。
【００９３】
図１１は、図８，図９のポインタ２のハードウェア構成例を示すブロック図である。ポインタ２には、受光光学系３１と、受光素子（フォトダイオード）３２と、マイクロプロセッサ３３と、赤外線送信ユニット３４とが設けられている。受光光学系３１は、ポインタ２の先端２ａ（図７）に配置されている。赤外線送信ユニット３４も、この先端２ａから赤外線を送信するように配置されている。
【００９４】
受光光学系３１は、図９のテレビ受像機１の画面１ａ全体からの光を一度に受光するのではなく、画面１ａ上の１つずつの領域（個々のオブジェクトの領域）からの光を受光するための光学系である。受光光学系３１に用いるレンズの焦点距離の長さ（画角の狭さ）や最大倍率（接写能力の大きさ）は、画面上でのオブジェクトの大きさや、図１に示したようなオブジェクトの点滅表示の範囲の大きさや、テレビ受像機１の画面１ａのサイズや、ポインタ２を使用する際の画面１ａとの距離に応じて決定すればよい。また、図９に示したポインタ２の大きさや形状はあくまで一例であり、この受光光学系３１の大きさや形状に応じてポインタ２の大きさや形状を決定してよい。
【００９５】
図１２〜図１５は、このテレビ受像機１及びポインタ２による処理を示すフローチャートである。このうち、図１２は、テレビ受像機１内の画像表示部１１（図１０）による処理を示す。図１３は、ポインタ２による処理を示す。図１４は、テレビ受像機１内の選択領域検知部１２（図１０）による処理を示す。図１５は、テレビ受像機１内の選択調査１３部による処理を示す。
【００９６】
テレビ受像機１内の画像表示部１１では、図１２に示すように、画像合成回路１９が、１フレーム分の表示画面データを取得し（ステップＳ１）、画像生成回路２５によって生成された画像データを取得して（ステップＳ２）、その画像データを表示画面データに合成する（ステップＳ３）。
【００９７】
次に、表示駆動回路２０が、画像合成回路１９から表示画面データのうちの１領域分のデータを取得する（ステップＳ４）。この１領域の大きさは、通常のドライバーが一度にデータを取得するのと同じ大きさであり、例えばディスプレイ２２が図３Ａに示したように冷陰極蛍光管（ＣＣＦＬ）を光源とするＬＣＤである場合には、１本の冷陰極蛍光管による照明領域である。
【００９８】
表示駆動回路２０は、そのデータを取得した領域と対応する領域（少なくとも一部が互いに重なっている領域）の情報がメモリ２１内に存在するか確認する（ステップＳ５）。存在する場合は、メモリ２１から、その対応する領域と対になっている識別ＩＤを取得する（ステップＳ６）。そして、ステップＳ４で取得した１領域分のデータをディスプレイ２２に表示させるとともに、その１領域のうち、ステップＳ６で取得した識別ＩＤに対応する領域を、その識別ＩＤによって変調した周期で点滅表示させる（ステップＳ７）。
【００９９】
例えば、ステップＳ４でデータを取得した１領域が、図１の自動車１０２の上半分を含んだ領域である場合には、ステップＳ７では、この自動車１０２の上半分について、自動車１０２の関連情報によって変調した周期で点滅表示を行わせる。オブジェクトの点滅表示の範囲や、ディスプレイの種類に応じた点滅表示の方法や、点滅周期の変調方法は、図１〜図５を用いて説明した通りである。
【０１００】
ステップＳ５で存在しなかった場合は、通常の映像表示の場合と同じく、ステップＳ４で取得した１領域分のデータをディスプレイ２２に表示させる（ステップＳ８）。
【０１０１】
ステップＳ７またはＳ８を終えると、画像合成回路１９から次にデータを取得すべき領域が存在するか（まだ１フレーム分の表示画面データを全て取得していないか）確認する（ステップＳ９）。存在する場合は、次の１領域分のデータを画像合成回路１９から取得して（ステップＳ１０）、ステップＳ５以下の処理を繰り返す。存在しない場合は、次のフレームの表示画面データについてのステップＳ１の処理に戻る。
【０１０２】
この図１２の処理により、表示装置１の画面１ａ上のオブジェクトの領域自体から、そのオブジェクトの識別ＩＤが光信号として出力される。
【０１０３】
ポインタ２では、図１３に示すように、受光光学系３１で受光された光を、受光素子３２が電気信号に変換する（ステップＳ１１）。したがって、視聴者が表示装置１の画面１ａ上の選択したいオブジェクトにポインタ２を向けると、そのオブジェクトの領域から光信号として出力された識別ＩＤが、電気信号に変換される。
【０１０４】
そして、マイクロプロセッサ３３がこの電気信号を赤外線送信ユニット３４に供給し（ステップＳ１２）、赤外線送信ユニット３４がこの電気信号を赤外線信号に変換して送信する（ステップＳ１３）。
【０１０５】
表示装置１内の選択領域検知部１２は、図１４に示すように、赤外線受信ユニット２３がポインタ２からの赤外線信号を受信するまで待機する（ステップＳ２１）。そして、受信すると、比較回路２４が、メモリ２１から領域−識別ＩＤ対を１つ取得して（ステップＳ２２）、受信信号とその領域−識別ＩＤ対中の識別ＩＤとが一致するか確認する（ステップＳ２３）。
【０１０６】
一致する場合には、比較回路２４は、その識別ＩＤと対になっている領域を選択領域として指定する情報を、画像生成回路２５に供給するとともに、マイクロプロセッサ２８に供給する（ステップＳ２４）。画像生成回路２５は、この選択領域を囲む枠またはこの選択領域を指す矢印等の画像データを生成して、その画像データを画像合成回路１９に供給する（ステップＳ２５）。したがって、この場合には、この画像データが図１２のステップＳ２及びＳ３で表示画面データに合成されて、表示装置１の画面１ａに表示される。
【０１０７】
ステップＳ２５で画像生成回路２５が画像合成回路１９に画像データを供給する期間の長さ（すなわち枠や矢印等が画面１ａに表示される期間の長さ）は、枠や矢印等の表示がすぐに消去されるような長さにしてもよいし、あるいは枠や矢印等が暫らく表示され続けるような長さにしてもよい。
【０１０８】
ステップＳ２５を終えると、次の赤外線信号についてのステップＳ２１の処理に戻る。また、ステップＳ２３で一致しなかった場合には、メモリ２１内に次の領域−識別ＩＤ対（まだ取得していない領域−識別ＩＤ対）が存在するか確認する（ステップＳ２６）。存在すれば、次の領域−識別ＩＤ対を取得して（ステップＳ２７）、ステップＳ２３以下の処理を繰り返す。
【０１０９】
テレビ受像機１内の選択調査部１３では、図１５に示すように、マイクロプロセッサ２８が、比較回路２４から選択領域の情報が供給されるまで待機する（ステップＳ３１）。そして、図１４のステップＳ２４の処理によって比較回路２４から選択領域の情報が供給されると、その選択領域の情報を取得する（ステップＳ３２）。続いて、視聴者の選局操作によって現在選択されているチャンネルの情報を取得し（ステップＳ３３）、タイマ２６から現在の時刻情報を取得して（ステップＳ３４）、取得したこれらの視聴状況（オブジェクトの選択状況）の情報を通信インタフェース２７からインターネット５（図８）経由でテレビ放送局側のダイジェスト化データ生成装置４（図８）に送信する（ステップＳ３５）。そして、ステップＳ３１の処理に戻る。
【０１１０】
なお、テレビ受像機１に付属するリモートコントローラに、テレビ受像機１の画面１ａのサイズや視聴者の属性（年齢や性別等）を示す情報を入力する操作釦を設け、ステップＳ３４の後、リモートコントローラから受信したこれらの情報を取得して、ステップＳ３５でこれらの情報を併せて送信するようにしてもよい。
【０１１１】
図１６は、図８のダイジェスト化データ生成装置４の構成例を示すブロック図である。ダイジェスト化データ生成装置４には、ネットワーク通信用の通信インタフェース４１と、選択状況記憶用メモリ４２と、シーン切替え情報記憶用メモリ４３と、ダイジェスト化データ記憶用メモリ４４と、操作パネル４５と、ダイジェスト化データ生成装置４全体を制御するマイクロプロセッサ４６とが設けられている。
【０１１２】
シーン切替え情報記憶用メモリ４４には、テレビ放送局内の他の装置によって番組の映像データから自動検出したシーン切り替え位置の情報が、予め記憶される。
【０１１３】
操作パネル４５には、オペレータが、各視聴者宅のテレビ受像機１でのオブジェクトの選択状況の情報（選択状況記憶用メモリ４２に記憶される情報）を用いて、番組の映像内で視聴者によって注目されているオブジェクトをモニター画面上で確認する操作や、ダイジェスト化データを作成する際に映像区間を並べる順序を指定する操作や、必ずダイジェストに組み込むべき映像区間を指定する操作を行うためのものである。
【０１１４】
図１７は、このダイジェスト化データ生成装置４内のマイクロプロセッサ４６による処理を示すフローチャートである。最初に、通信インタフェース４１で何らかの情報を受信したか確認する（ステップＳ４１）。
【０１１５】
受信した場合には、いずれかの視聴者宅のテレビ受像機１からのオブジェクトの選択状況の情報（図１５のステップＳ３５で送信された情報）を受信したのか確認する（ステップＳ４２）。イエスであれば、その選択状況の情報を、選択状況記憶用メモリ４２に記憶させて（ステップＳ４３）、ステップＳ４１の処理に戻る。
【０１１６】
ステップＳ４１でノーであれば、選択状況記憶用メモリ４２内に、選択状況の情報が、ダイジェスト化データを生成するのに必要な件数分（例えば最初は１００件分）収集されたか確認する（ステップＳ４４）。なお、選択状況の情報と併せて前述のような画面サイズや視聴者の属性の情報が受信される場合には、ステップＳ４４では、画面サイズや属性毎に、収集件数の確認を行う。
【０１１７】
ステップＳ４４でノーであれば、ステップＳ４１の処理に戻る。ステップＳ４４でイエスになると、それらの選択状況の情報中のうちの、チャンネルの情報と時刻情報とに基づき、図６に例示したような、そのチャンネルで現在放送している番組についての時間毎のオブジェクトの選択率（全ての視聴者宅の（選択状況の情報と併せて画面サイズや視聴者の属性の情報が受信される場合には、画面サイズや属性毎の）テレビ受像機１のうち、現在の時刻にその番組の映像内のオブジェクトを選択しているという情報を送信しているテレビ受像機１の台数の比率）を計測するとともに、シーン切替え情報記憶用メモリ４４からシーン切り替え位置の情報を取得して、図６に例示したような、その番組の各シーン毎のオブジェクトの選択率の想定値を求める（ステップＳ４５）。
【０１１８】
そして、この想定値と、操作パネル４５での操作結果とに基づき、図７に例示したような区間リストを作成し（ステップＳ４６）、その区間リストをダイジェスト化データとしてダイジェスト化データ記憶用メモリ４４に記憶させる（ステップＳ４７）。そして、ダイジェスト化データを生成するのに必要な収集件数を更新して（例えば、最初が１００件だとすると、同程度の収集件数では選択状況はあまり変化しないと予想されるので、次は５００件、その次は１０００件というように次第に収集件数を増加させて）（ステップＳ４８）、ステップＳ４１の処理に戻る。
【０１１９】
ステップＳ４２でノーになった場合には、ダイジェスト化編集装置３（図８）から後述のダイジェスト化データの要求を受信したのか確認する（ステップＳ４９）。イエスであれば、ダイジェスト化データを生成済み（ダイジェスト化データ記憶用メモリ４４に記憶済み）であるか確認する（ステップＳ５０）。イエスであれば、ダイジェスト化データ記憶用メモリ４４からダイジェスト化データを読み出して、そのダイジェスト化データを通信インタフェース４１からインターネット５（図８）経由でダイジェスト化編集装置３に送信する（選択状況の情報と併せて画面サイズや視聴者の属性の情報が受信される場合には、各視聴者宅の画面サイズや属性に対応したダイジェスト化データを読み出して、その視聴者宅のダイジェスト化編集装置３に送信する）（ステップＳ５１）。そして、ステップＳ４１の処理に戻る。
【０１２０】
ステップＳ５０でノーであれば、ダイジェスト化データの生成が未完了であることを示すステータスを、通信インタフェース４１からインターネット５経由でダイジェスト化編集装置３に送信する（ステップＳ５２）。そして、ステップＳ４１の処理に戻る。
【０１２１】
図１８は、図８のダイジェスト化編集装置３の構成例を示すブロック図である。ダイジェスト化編集装置３には、テレビ放送受信部５１と、映像記憶部（例えばハードディスクドライブ）５２と、ネットワーク通信用の通信インタフェース５３と、ダイジェスト化データ記憶用メモリ５４と、操作パネル５５と、ダイジェスト化編集装置３全体を制御するマイクロプロセッサ５６と、映像出力端子５７とが設けられている。映像出力端子５７から出力される映像データは、図示しない画像表示装置（テレビ受像機１と別の装置であってもよいし、テレビ受像機１であってもよい）の映像入力端子に入力する。
【０１２２】
テレビ放送受信部５１は、デジタル放送信号から、視聴者の選局操作に基づいて抽出した１チャンネル分の映像データを復号するものであり、図１０に示したテレビ受像機１内のチューナ１４，復調器１５，デスクランブラ１６，多重分離器１７及び映像デコーダ１８と同一の構成をしている。このテレビ放送受信部５１で復号された映像データは、映像記憶部５２に記憶される。
【０１２３】
操作パネル５５は、視聴者が、選局操作や、ダイジェストの作成を指示する操作や、ダイジェストの時間長を指定する操作を行うためのものである。なお、このダイジェスト化編集装置３の使用方法として、視聴者は、テレビ受像機１で選局したのと同じチャンネルをダイジェスト化編集装置３でも選局するものとする。
【０１２４】
図１９は、このダイジェスト化編集装置３内のマイクロプロセッサ５６が、操作パネル５５でのダイジェストの作成指示に基づいて実行する処理を示すフローチャートである。最初に、ダイジェスト化データの要求を、通信インタフェース５１からインターネット５（図８）経由でダイジェスト化データ生成装置４に送信する（ステップＳ６１）。そして、ダイジェスト化データ生成装置４からのなんらかの回答を待つ（ステップＳ６２）。
【０１２５】
回答を受信すると、ダイジェスト化データの生成が未完了であることを示すステータスを受信したのか確認する（ステップＳ６３）。イエスであれば、ステップＳ６１の処理に戻る。他方ノーであれば（ダイジェスト化データを受信したのであれば）、そのダイジェスト化データをダイジェスト化データ記憶用メモリ５４に記憶させる（ステップＳ６４）。
【０１２６】
続いて、操作パネル５５で指定されたダイジェストの時間長の情報を取得する（ステップＳ６５）。そして、ダイジェスト化データ記憶用メモリ５４に記憶させたダイジェスト化データ中のシーンのうち、この指定された時間長に収まる範囲を選択する（ステップＳ６６）。
【０１２７】
そして、映像記憶部５２に記憶された映像データを編集して、この選択した範囲の映像データのみから成るダイジェストを作成し（ステップＳ６７）、そのダイジェストを映像記憶部５２から読み出して映像出力端子５７から出力する（ステップＳ６８）。そして処理を終了する。
【０１２８】
ステップＳ６６でのシーンの範囲の選択方法や、ステップＳ６７での映像データの編集方法は、〔ダイジェストの作成方法〕の欄で説明した通りである。
【０１２９】
このシステムによれば、テレビ放送局が、視聴者の興味を反映したダイジェストを時間や労力をかけずに作成し、視聴者が、そのダイジェストを放送時間に左右されずに任意の時間に視聴でき、なおかつ、視聴率を示す詳細な情報が一般に流布されることを防止することができる。
【０１３０】
また、テレビ放送局は、視聴者が興味を持つシーンの間に、例えばＣＭのように視聴者に興味を持たれにくい映像を挿入したダイジェストを視聴させることや、視聴者が注目しているオブジェクトに適した内容の映像を挿入したダイジェストを視聴させることもできる。
【０１３１】
また、視聴者は、ダイジェストを視聴する際の忙しさなどに合わせて任意に指定した時間長のダイジェスト（忙しいときには短いダイジェスト、忙しくないときには長いダイジェスト）を視聴することもできる。
【０１３２】
また、視聴者は、ポインタ２を用いて、テレビ受像機１の画面１ａ上のオブジェクトの選択を、場所を選ばず、短時間で容易に行うことができる。
【０１３３】
〔変更例〕
次に、以上に説明した事項に対する変更例を、以下に（１）〜（１０）として挙げることにする。
【０１３４】
（１）ポインタ２が受信した信号（識別ＩＤ）をテレビ受像機１に返送するための通信方式として、赤外線通信以外の通信方式（例えば、無線通信やワイヤードによる通信）を採用してもよい。
【０１３５】
（２）ポインタ２という専用のハードウェアによって選択装置を実現する代わりに、既存の各種の携帯端末（携帯電話，携帯情報端末，携帯型メディアプレーヤ，携帯型ゲーム機等）によって選択装置を実現してもよい。その場合には、携帯端末に、図１１の受光光学系３１や受光素子３２に相当する部品を設けるとともに、図１１の赤外線送信ユニット３４のような送信手段を設け（送信手段を有している場合にはそのまま利用してもよい）、図１１のマイクロプロセッサ３３の機能をソフトウェアによって実行させるようにすればよい。
【０１３６】
（３）選択のオン／オフを切換えるための操作手段（押し釦等）をポインタ２に設け、その操作手段で選択がオンにされている場合にのみ、赤外線送信ユニット３４から赤外線信号を送信するようにしてもよい。
【０１３７】
（４）ポインタ２に、受光光学系２１及び受光素子２２の代わりに、通常のカメラ付き携帯電話に搭載されるのと同様なＣＣＤカメラまたはＣＭＯＳカメラと、このカメラの一部の撮像領域（図１に例示したような１つのオブジェクトの点滅表示の範囲に対応する大きさの領域）を指定するための操作手段と、このカメラの出力信号からこの操作手段によって指定された撮像領域の信号を抽出する信号処理回路とを設け、この信号処理回路によって抽出した信号を、赤外線送信ユニット２４で赤外線信号に変換して送信するようにしてもよい。
【０１３８】
（５）テレビ受像機１の画面１ａ上のオブジェクトの領域を点滅表示させ、この画面１ａからの光信号を受光してテレビ受像機１に返送するという方法以外の方法（例えば、テレビ受像機１を操作するリモートコントローラに、画面１ａ上の領域を選択するための操作釦を設けるという方法）で、画面１ａ上のオブジェクトの領域を選択するようにしてもよい。
【０１３９】
（６）テレビ受像機１を、図１０の表示駆動回路２０，領域−識別ＩＤ対記憶用メモリ２１及びディスプレイ２２以外の回路から成る映像出力装置（ディスプレイを有しないテレビ受信機）と、表示駆動回路２０，領域−識別ＩＤ対記憶用メモリ２１及びディスプレイ２２から成る表示装置との２つの装置に分け、この映像出力装置内の画像合成回路１９から、例えばデジタルオーディオ／ビデオ信号伝送用のケーブルであるＨＤＭＩ（High Definition Multimedia Interface）ケーブルを介して、この表示装置内の表示駆動回路２０に表示画面データを送るようにしてもよい。
【０１４０】
（７）各視聴者宅のテレビ受像機１とダイジェスト化編集装置３とを、一体化した装置（録画機能付きテレビ受像機）として構成してもよい。あるいはまた、テレビ受像機１にｉＬｉｎｋ（ＩＥＥＥ１３９４）端子を設け、ｉＬｉｎｋによってテレビ受像機１に接続したハードディスクドライブをダイジェスト化編集装置３として用いたり、テレビ受像機１にイーサネット（登録商標）端子を設け、ＮＡＳ(Network Access Storage)として提供されるハードディスクドライブをイーサネット（登録商標）によってテレビ受像機１に接続して、そのたハードディスクドライブをダイジェスト化編集装置３として用いてもよい。それらの場合には、図１８のダイジェスト化編集装置３内のテレビ放送受信部５１を省略する（テレビ受像機１内の回路を共用する）ようにしてよい。あるいはまた、チューナボードを搭載したパーソナルコンピュータによって、テレビ受像機１及びダイジェスト化編集装置３と同じ機能を実現させるようにしてもよい。
【０１４１】
（８）ダイジェスト化データ生成装置４を、視聴状況（オブジェクトの選択状況）を記憶するための装置と、編集操作やダイジェスト化データの生成を行うための装置と、ダイジェスト化データの記憶および送信を行うための装置とに分離し、それぞれが接続されて実質的に一つの装置として機能する形態をとってもよい。それにより、テレビ放送局にダイジェスト化データ生成装置４を導入する際に後々の増設が容易になるほか、視聴状況を記憶する装置を視聴率調査に用いるなど、他の用途も利用することが容易になる。
【０１４２】
（９）ダイジェスト化編集装置３では、図１９のステップＳ６７でダイジェストを作成する際に、ダイジェスト化データ中のシーンの部分のみから成る一連の映像データを映像記憶部５２に記憶させた後、元の番組全体の映像データを映像記憶部５２から消去するようにしてもよい。それにより、限られた容量の映像記憶部５２に、多数の番組のダイジェストを保存させて視聴することが可能となる。
【０１４３】
（１０）テレビ放送に限らず、インターネット経由で配信される映像コンテンツを視聴する場合に、映像コンテンツの配信元と各視聴者宅とに、以上に説明したのと同様なシステムを構成してもよい。
【図面の簡単な説明】
【０１４４】
【図１】画面上のオブジェクト及びその点滅範囲を例示する図である。
【図２】一般的なディスプレイを例示する図である。
【図３】一般的なハイフレームレート表示の例を示す図である。
【図４】フレーム内変調を例示する図である。
【図５】フレームレート変調を例示する図である。
【図６】映像区間の選択例を示す図である。
【図７】区間リストを例示する図である。
【図８】本発明に係るシステムの全体構成を例示する図である。
【図９】図８のポインタの外観を例示する図である。
【図１０】図８のテレビ受像機の構成例を示すブロック図である。
【図１１】ポインタの構成例を示すブロック図である。
【図１２】テレビ受像機内の画像表示部による処理を示すフローチャートである。
【図１３】ポインタによる処理を示すフローチャートである。
【図１４】テレビ受像機内の選択領域検知部による処理を示すフローチャートである。
【図１５】テレビ受像機内の選択調査部による処理を示すフローチャートである。
【図１６】ダイジェスト化データ生成装置の構成例を示すブロック図である。
【図１７】ダイジェスト化データ生成装置による処理を示すフローチャートである。
【図１８】ダイジェスト化編集装置の構成例を示すブロック図である。
【図１９】ダイジェスト化編集装置による処理を示すフローチャートである。
【符号の説明】
【０１４５】
１  テレビ受像機、  ２  ポインタ、  ３  ダイジェスト化編集装置、  ４  ダイジェスト化データ生成装置、  １１  画像表示部、  １２  選択領域検知部、  １３  選択調査部
【図１】
2007195051.tif 000003
【図２】
2007195051.tif 000004
【図３】
2007195051.tif 000005
【図４】
2007195051.tif 000006
【図５】
2007195051.tif 000007
【図６】
2007195051.tif 000008
【図７】
2007195051.tif 000009
【図８】
2007195051.tif 000010
【図９】
2007195051.tif 000011
【図１０】
2007195051.tif 000012
【図１１】
2007195051.tif 000013
【図１２】
2007195051.tif 000014
【図１３】
2007195051.tif 000015
【図１４】
2007195051.tif 000016
【図１５】
2007195051.tif 000017
【図１６】
2007195051.tif 000018
【図１７】
2007195051.tif 000019
【図１８】
2007195051.tif 000020
【図１９】
2007195051.tif 000021